(57)【要約】【課題】費用対効果の良いＣＭ提供を実行可能なコンテンツデータ視聴システム、コンテンツデータ視聴プログラム及びコンテンツデータ視聴ユーザ端末を提供する。【解決手段】コンテンツデータ、及びこのコンテンツデータと共に視聴するＣＭデータを視聴者に選択させる選択部３６１と、選択部３６１で選択されたコンテンツデータに対し設定されたコンテンツポイント、及び選択部３６１で選択されたＣＭデータに対し設定されたＣＭポイントを比較する比較部３６２と、比較部３６２による比較結果に基づき、選択部３６１における選択に係るコンテンツデータ及びＣＭデータを視聴者が有するユーザ端末４０に対し送信する送信部３６４とを備えたことを特徴とする。【選択図】図２
2007221232.tif 000002
【特許請求の範囲】
【請求項１】
視聴者に対し、所定量のＣＭの視聴を条件にコンテンツデータの視聴を許可するコンテンツデータ視聴システムにおいて、
視聴者に対し提供可能なコンテンツデータを、そのコンテンツデータに対し設定されるコンテンツポイントに関するデータと共に管理するコンテンツ管理データベースと、
視聴者に対し提供可能なＣＭデータを、そのＣＭデータに対し設定されるＣＭポイントに関するデータと共に管理するＣＭ管理データベースと、
コンテンツデータ、及びこのコンテンツデータと共に視聴するＣＭデータを視聴者に選択させる選択部と、
前記選択部で選択されたコンテンツデータに対し設定されたコンテンツポイント、及び前記選択部で選択されたＣＭデータに対し設定されたＣＭポイントを比較する比較部と、
前記比較部による比較結果に基づき、前記選択部における選択に係るコンテンツデータ及びＣＭデータを前記視聴者が有するユーザ端末に対し送信する送信部と
を備えたことを特徴とするコンテンツデータ視聴システム。
【請求項２】
視聴者にＣＭの嗜好に関するデータを入力させ、この入力データに基づき、前記選択部において視聴したいＣＭデータを優先的に選択肢として提示するための所定の優先順位を設定する設定部を備えることを特徴とする請求項１記載のコンテンツデータ視聴システム。
【請求項３】
前記入力データは、前記ＣＭデータの内容に関するデータを含むことを特徴とする請求項２記載のコンテンツデータ視聴システム。
【請求項４】
前記入力データは、ＣＭの出演者に関するデータを含むことを特徴とする請求項２又は３記載のコンテンツデータ視聴システム。
【請求項５】
前記前記ＣＭポイントは、前記視聴者の個人情報又は前記コンテンツデータの種類を含む情報に従って変化することを特徴とする請求項１乃至４のいずれか１項記載のコンテンツデータ視聴システム。
【請求項６】
前記ＣＭポイントは、前記視聴者のＣＭデータの視聴履歴に従って変化することを特徴とする請求項１乃至５のいずれか１項記載のコンテンツデータ視聴システム。
【請求項７】
前記比較部において、前記ＣＭポイントが前記コンテンツポイントを上回った場合、余ったＣＭポイントを繰り越しポイントとして視聴者に付与し、次のコンテンツ再生時にＣＭポイントを補完するために使用可能とすることを特徴とする請求項１乃至６のいずれか１項記載のコンテンツデータ視聴システム。
【請求項８】
前記コンテンツデータは、チャプタ毎に構成されると共に各チャプタ毎に前記コンテンツポイントが設定されていることを特徴とする請求項１乃至７のいずれか１項記載のコンテンツデータ視聴システム。
【請求項９】
所定量のＣＭの視聴を条件にコンテンツデータの視聴を可能とするコンテンツデータ視聴プログラムにおいて、
提供可能なコンテンツデータを、そのコンテンツデータに対し設定されるコンテンツポイントに関するデータと共に管理するコンテンツ管理ステップと、
提供可能なＣＭデータを、そのＣＭデータに対し設定されるＣＭポイントに関するデータと共に管理するＣＭ管理ステップと、
コンテンツデータ、及びこのコンテンツデータと共に視聴するＣＭデータを視聴者に選択させる選択ステップと、
前記選択部で選択されたコンテンツデータに対し設定されたコンテンツポイント、及び前記選択部で選択されたＣＭデータに対し設定されたＣＭポイントを比較する比較ステップと、
前記比較部による比較結果に基づき、前記選択部における選択に係るコンテンツデータ及びＣＭデータを視聴者に対し送信する送信ステップと
をコンピュータに実行可能に構成されたことを特徴とするコンテンツデータ視聴プログラム。
【請求項１０】
前記選択ステップは、視聴可能な前記ＣＭデータを所定の優先順位に従って提示することを特徴とする請求項９記載のコンテンツデータ視聴プログラム。
【請求項１１】
前記所定の優先順位は、ＣＭの内容により決定可能であることを特徴とする請求項９記載のコンテンツデータ視聴プログラム。
【請求項１２】
前記所定の優先順位は、前記ＣＭポイントの高い順に決定されることを特徴とする請求項１０又は１１記載のコンテンツデータ視聴プログラム。
【請求項１３】
前記ＣＭポイントは、前記視聴者の個人情報又は前記コンテンツデータの種類を含む情報に従って変化することを特徴とする請求項９乃至１２のいずれか１項記載のコンテンツデータ視聴プログラム。
【請求項１４】
前記ＣＭポイントは、前記視聴者のＣＭデータの視聴履歴に基づき決定されることを特徴とする請求項９乃至１３のいずれか１項記載のコンテンツデータ視聴プログラム。
【請求項１５】
前記比較ステップにおいて、前記ＣＭポイントが前記コンテンツポイントを上回った場合、余ったＣＭポイントを繰り越しポイントとして視聴者に付与し、次のコンテンツ再生時にＣＭポイントを補完するために使用可能とすることを特徴とする請求項９乃至１４のいずれか１項記載のコンテンツデータ視聴プログラム。
【請求項１６】
前記コンテンツデータは、チャプタ毎に構成されると共に各チャプタ毎に前記コンテンツポイントが設定されていることを特徴とする請求項９乃至１５のいずれか１項記載のコンテンツデータ視聴プログラム。
【請求項１７】
ネットワークを介してコンテンツデータとＣＭデータを受信すると共に所定量のＣＭデータの視聴を条件にコンテンツデータの視聴を可能とするコンテンツデータ視聴ユーザ端末であって、
コンテンツデータ、及びこのコンテンツデータと共に視聴するＣＭデータを選択可能とする選択部と、
前記選択部で選択されたコンテンツデータに対し設定されたコンテンツポイント、及び前記選択部で選択されたＣＭデータに対し設定されたＣＭポイントを比較する比較部と、
前記比較部による比較結果に基づき、前記選択部における選択に係るコンテンツデータ、及びこのコンテンツデータと共に視聴するＣＭデータを要求する情報を送信する送信部と
を備えたことを特徴とするコンテンツデータ視聴ユーザ端末。
【請求項１８】
視聴者にＣＭの嗜好に関するデータを入力させ、この入力データに基づき、前記選択部において視聴したいＣＭデータを優先的に選択肢として提示するための所定の優先順位を設定する設定部を備えることを特徴とする請求項１７記載のコンテンツデータ視聴ユーザ端末。
【請求項１９】
前前記ＣＭポイントは、前記視聴者の個人情報又は前記コンテンツデータの種類を含む情報に従って変化することを特徴とする請求項１７又は１８記載のコンテンツデータ視聴ユーザ端末。
【請求項２０】
前記ＣＭポイントは、前記視聴者のＣＭデータの視聴履歴従って変化することを特徴とする請求項１７乃至１９のいずれか１項記載のコンテンツデータ視聴ユーザ端末。
【発明の詳細な説明】
【技術分野】
【０００１】
本発明は、放送されたコンテンツや蓄積されたコンテンツの視聴を制御するコンテンツデータ視聴システム、コンテンツデータ視聴制御プログラム及びコンテンツデータ視聴ユーザ端末に関する。
【背景技術】
【０００２】
近年、急速な家庭用端末の普及に伴い、地上波テレビ、ＡＭ及びＦＭ放送等以外にも、家庭用端末により音楽や映像などのデジタルコンテンツが視聴されている。
【０００３】
従来の地上波テレビ、ＦＭ放送等のように放送局から視聴者へ一方的に情報を提供するシステムであれば、番組の途中にＣＭ（コマーシャル・メッセージ）を介在させることにより、効果的に視聴者にＣＭを視聴させることが可能であった。
【０００４】
しかしながら、デジタルによるコンテンツ提供にあっては、視聴者は、一般的に蓄積されたコンテンツデータ（音楽や映像）を視聴することとなり、そのため、コンテンツ内にＣＭを介在させて放送しても、再生時には、ＣＭを飛ばして、コンテンツだけを再生視聴する場合が増加している。
【０００５】
そこで、特許文献１においては、視聴者に確実にＣＭを視聴させる視聴制御装置が開示されている。この装置は、ＣＭの視聴によりコンテンツの視聴を可能として、そのコンテンツには、視聴可能な有効期限を設定している。また、引用文献１には、ＣＭ内の複数の箇所をすべて視聴していなければ、コンテンツを視聴可能としない構成を有し、確実にコンテンツ内のＣＭを視聴者に視聴させることを可能としている。
【０００６】
一方、上記のデジタル放送によるコンテンツのＣＭにあっても、各視聴者に各視聴者それぞれが興味を持ったＣＭを提供しているとは限られない。例えば、性別、年齢、趣味などの違いにより、各視聴者が興味を持つＣＭは異なる。したがって、現状のＣＭ提供にあっては、強制的にＣＭを視聴させることは可能であっても、必ずしも各々の視聴者に適したＣＭが供給されておらず、費用対効果の良いＣＭ提供がなされているとはいえない。
【特許文献１】特開２００５−３２２３４号公報
【発明の開示】
【発明が解決しようとする課題】
【０００７】
本願発明は、デジタルコンテンツ提供において、費用対効果の良いＣＭ提供を実行可能なコンテンツデータ視聴システム、コンテンツデータ視聴プログラム及びコンテンツデータ視聴ユーザ端末を提供することを目的とする。
【課題を解決するための手段】
【０００８】
この発明の一態様に係るコンテンツデータ視聴システムは、視聴者に対し、所定量のＣＭの視聴を条件にコンテンツデータの視聴を許可するコンテンツデータ視聴システムにおいて、視聴者に対し提供可能なコンテンツデータを、そのコンテンツデータに対し設定されるコンテンツポイントに関するデータと共に管理するコンテンツ管理データベースと、視聴者に対し提供可能なＣＭデータを、そのＣＭデータに対し設定されるＣＭポイントに関するデータと共に管理するＣＭ管理データベースと、コンテンツデータ、及びこのコンテンツデータと共に視聴するＣＭデータを視聴者に選択させる選択部と、前記選択部で選択されたコンテンツデータに対し設定されたコンテンツポイント、及び前記選択部で選択されたＣＭデータに対し設定されたＣＭポイントを比較する比較部と、前記比較部による比較結果に基づき、前記選択部における選択に係るコンテンツデータ及びＣＭデータを前記視聴者が有するユーザ端末に対し送信する送信部とを備えたことを特徴とする。
【０００９】
また、この発明の一態様に係るコンテンツデータ視聴プログラムは、所定量のＣＭの視聴を条件にコンテンツデータの視聴を可能とするコンテンツデータ視聴プログラムにおいて、提供可能なコンテンツデータを、そのコンテンツデータに対し設定されるコンテンツポイントに関するデータと共に管理するコンテンツ管理ステップと、提供可能なＣＭデータを、そのＣＭデータに対し設定されるＣＭポイントに関するデータと共に管理するＣＭ管理ステップと、コンテンツデータ、及びこのコンテンツデータと共に視聴するＣＭデータを選択させる選択ステップと、前記選択部で選択されたコンテンツデータに対し設定されたコンテンツポイント、及び前記選択部で選択されたＣＭデータに対し設定されたＣＭポイントを比較する比較ステップと、前記比較部による比較結果に基づき、前記選択部における選択に係るコンテンツデータ及びＣＭデータを視聴者に対し送信する送信ステップとをコンピュータに実行可能に構成されたことを特徴とする。
【００１０】
また、この発明の一態様に係るコンテンツデータ視聴ユーザ端末は、ネットワークを介してコンテンツデータとＣＭデータを受信すると共に所定量のＣＭデータの視聴を条件にコンテンツデータの視聴を可能とするコンテンツデータ視聴ユーザ端末であって、コンテンツデータ、及びこのコンテンツデータと共に視聴するＣＭデータを選択可能とする選択部と、前記選択部で選択されたコンテンツデータに対し設定されたコンテンツポイント、及び前記選択部で選択されたＣＭデータに対し設定されたＣＭポイントを比較する比較部と、前記比較部による比較結果に基づき、前記選択部における選択に係るコンテンツデータ、及びこのコンテンツデータと共に視聴するＣＭデータを要求する情報を送信する送信部とを備えたことを特徴とする。
【発明の効果】
【００１１】
この発明によれば、コンテンツデータと共にＣＭデータを視聴者に閲覧させ、同時に視聴者に応じてＣＭを選択可能とさせることにより、そのＣＭに興味を持った特定の視聴者にのみＣＭを視聴させることができる。したがって、費用対効果の良いＣＭ提供を実行可能なコンテンツデータ視聴システム、コンテンツデータ視聴プログラム及びコンテンツデータ視聴ユーザ端末を提供することが可能となる。
【発明を実施するための最良の形態】
【００１２】
以下、本発明の実施形態については図面を参照しながら説明する。
【００１３】
最初に、図１を参照して、本発明の前提となるコンセプトを説明する。
【００１４】
本発明のコンセプトにおいて、コンテンツ提供者Ａは、コンテンツデータ及びＣＭデータを管理する管理者Ｂ（以下、コンテンツ・ＣＭ管理者Ｂという）にコンテンツデータを供給し、事後的に視聴時間等に応じてコンテンツ料金の支払いを受けると共に、その視聴状況等を示す視聴情報を視聴者Ｄからコンテンツ・ＣＭ管理者Ｂを介して受け取る。同様に、ＣＭ提供者Ｃは、コンテンツ・ＣＭ管理者ＢにＣＭデータを供給し、事後的に視聴時間等に応じてＣＭ料金を支払うと共に、その視聴状況を示す視聴情報を視聴者Ｄからコンテンツ・ＣＭ管理者Ｂを介して受け取る。そして、視聴者Ｄは、視聴したいコンテンツデータ及びＣＭデータを選択し、そのコンテンツデータ及びＣＭデータをコンテンツ・ＣＭ管理者Ｂから供給される。視聴者Ｄは、視聴を望むコンテンツデータと、視聴を望むＣＭデータとをコンテンツ・ＣＭ管理者Ｂに要求可能である一方、そのコンテンツデータ毎に決められた特定量（例えば、後述するようにコンテンツポイント、ＣＭポイントという形式で定義される）のＣＭを視聴しなければ、コンテンツを視聴することができない。そして、そのコンテンツ視聴に要する「特定量」のＣＭは、ＣＭ提供者Ｂが任意に設定可能とする。その場合の設定は、視聴者がどのような人間であるか、或いは視聴するコンテンツデータがどのような内容であるか等を考慮して、様々に変更することができる。
【００１５】
上記のようなコンセプトに沿ったシステムであれば、視聴者Ｄの興味等に沿ったＣＭが視聴者Ｄに供給されるので、ＣＭ提供者は、興味を示した視聴者Ｄのみを対象として、費用対効果の良いＣＭ供給が可能になるものと考えられる。
【００１６】
［第１実施形態］  図２を参照して、本発明の第１実施形態に係るコンテンツデータ視聴システムの概略を説明する。
【００１７】
［システムの構成］  図２は、本発明の第１実施形態に係るコンテンツデータ視聴システムの構成図である。
【００１８】
図２に示すように、本システムは、主として、図１のコンテンツ提供者Ａに対応するコンテンツサーバ１０と、図１のＣＭ提供者Ｃに対応するＣＭサーバ２０と、図１のコンテンツ・ＣＭ管理者Ｂに対応するコンテンツ・ＣＭ管理サーバ３０と、図１の視聴者Ｄに対応するユーザ端末４０と、それらを相互に接続したインターネット等のネットワーク５０とにより構成されている。なお、図２においては、コンテンツサーバ１０、ＣＭサーバ２０、コンテンツ・ＣＭ管理サーバ３０及びユーザ端末４０は、それぞれ一台ずつ配置した構成を記載しているが、本発明はこの構成に限定されるものではない。例えば、コンテンツサーバ１０とＣＭサーバ２０を企業毎に設置させても良く、コンテンツ・ＣＭ管理サーバ３０を複数分散して配置させても良く、或いはコンテンツサーバ１０とＣＭサーバ２０とコンテンツ・ＣＭ管理サーバ３０とを統合させることも可能である。ユーザ端末４０は、パソコン以外に、携帯電話、ＰＤＡなど様々な形態とすることができる。また、ユーザ端末４０は、ユーザ個人所有のものに限らず、インターネットカフェ、コンビニエンスストア、ガソリンスタンドなどに設置され公衆間で共用される端末であってもよい。
【００１９】
コンテンツサーバ１０は、視聴者に対し提供可能なコンテンツデータを、そのコンテンツデータに対し設定されるコンテンツポイントに関するデータと共に管理するコンテンツ管理データベース１１を備えている。また、このコンテンツ管理データベース１１のテーブルには、例えば、コンテンツ名称、種別、ジャンルなどの書誌データ、コンテンツポイントなどの情報が格納されている。ここで、コンテンツポイントとは、そのコンテンツデータの視聴に必要なポイントであり、原則として、コンテンツの制作費等を考慮してコンテンツ提供者Ａ自身が決定する。また、１つのコンテンツデータは、シーン（チャプタ）毎に分割した複数のチャプタデータＣ１，Ｃ２，Ｃ３，・・・として格納することもでき、この場合、各チャプタデータＣｉは、それぞれ異なるコンテンツ鍵データＫｃｉにより暗号化された暗号化コンテンツデータＥｎｃ（Ｋｃｉ：Ｃｉ）の形式で格納されている。
【００２０】
ＣＭサーバ２０は、視聴者に対し提供可能なＣＭデータを、そのＣＭデータに対し設定されるＣＭポイントに関するデータと共に管理するＣＭ管理データベース２１を備えている。このＣＭ管理データベース２１のテーブルには、例えば、ＣＭ名称、ＣＭの内容、ＣＭの主演者などの書誌データ、ＣＭポイントなどの情報が格納されている。ここで、ＣＭポイントとは、ＣＭデータを視聴することにより得られるポイントであり、上述したコンテンツポイント以上のＣＭポイントを付加されたＣＭを視聴すれば、単数又は複数のコンテンツデータＣｉを視聴することができる。ＣＭポイントは、視聴者の個人情報（視聴者カテゴリ）、及び視聴するコンテンツデータの種類（コンテンツジャンル）等に従って変化する。また、各ＣＭデータＣＭｉは、それぞれ異なるＣＭ鍵データＫｃｍｉにより暗号化された暗号化ＣＭデータＥｎｃ（Ｋｃｍｉ：ＣＭｉ）の形式で格納されているものとする。
【００２１】
コンテンツ・ＣＭ管理サーバ３０は、コンテンツ管理データベース３１と、コンテンツ鍵データベース３２と、ＣＭ管理データベース３３と、ＣＭ鍵データベース３４と、ユーザ管理データベース３５とを備えている。また、コンテンツ・ＣＭ管理サーバ３０は、それぞれのデータベースに格納された情報を制御するプログラム３６を格納している。
【００２２】
コンテンツ管理データベース３１のテーブルには、例えば、コンテンツ名称、種別、ジャンルの書誌データ、コンテンツポイント等の情報が格納されている。すなわち、このコンテンツ管理データベース３１には、コンテンツサーバ１０からネットワーク５０を介して送信されたコンテンツ管理データベース１１の一部の情報が格納されている。コンテンツ・ＣＭ管理サーバ３０は、コンテンツサーバ１０に定期的にアクセスし、視聴可能なコンテンツデータの書誌データ等を常にアップデートし、このアップデートされた情報をコンテンツ管理データベース３１に格納する。
【００２３】
また、コンテンツ鍵データベース３２のテーブルには、チャプタデータＣ１，Ｃ２，Ｃ３，・・・に関連付けられたコンテンツ鍵データＫｃ１，Ｋｃ２，Ｋｃ３，・・・が格納されている。
【００２４】
ＣＭ管理データベース３３のテーブルには、例えば、ＣＭ名称、ＣＭの内容、ＣＭの主演者等の書誌データ、ＣＭポイント等の情報が格納されている。すなわち、このＣＭ管理データベース３３は、ＣＭサーバ２０からネットワーク５０を介して送信されたＣＭ管理データベース２１の一部の情報が格納されている。コンテンツ・ＣＭ管理サーバ３０はＣＭサーバ２０に定期的にアクセスし、視聴可能なＣＭデータの書誌データ等を常にアップデートし、このアップデートされた情報をＣＭ管理データベース３３に格納する。また、ＣＭ管理データベース３３には、後述するマッチング度を示すマッチングデータが、ＣＭ提供者毎に作成され、格納されている。
【００２５】
ＣＭ鍵データベース３４のテーブルには、ＣＭデータに関連付けられたＣＭ鍵Ｋｃｍ１，Ｋｃｍ２，Ｋｃｍ３，・・・が格納されている。
【００２６】
ユーザ管理データベース３５のテーブルには、各ユーザが有するユーザ鍵データに加えて、ユーザＩＤ，機器ＩＤなどのユーザ情報が格納されている。
【００２７】
プログラム３６は、主として、選択部３６１と、比較部３６２と、鍵読出部３６３と、送信部３６４と、設定部３６５が実現されるようにプログラムされている。
【００２８】
選択部３６１は、コンテンツデータ、及びこのコンテンツデータと共に視聴するＣＭデータを視聴者がユーザ端末４０上で選択できるように構成されている。
【００２９】
比較部３６２は、選択部３６１により選択されたコンテンツデータ（チャプタデータも含む）に対し設定されたコンテンツポイント、及び選択部３６１で選択されたＣＭデータに対し視聴者カテゴリやコンテンツジャンル等を考慮して設定されたＣＭポイントを比較し、コンテンツを視聴可能か否か判断可能に構成されている。
【００３０】
鍵読出部３６３は、コンテンツ鍵データベース３２及びＣＭ鍵データベース３４からコンテンツ鍵Ｋｃｉ及びＣＭ鍵Ｋｃｍｉを読み出し可能に構成されている。
【００３１】
送信部３６４は、比較部３６２による比較結果に基づき、選択部３６１で選択された暗号化コンテンツデータＥｎｃ（Ｋｃｉ：Ｃｉ）、暗号化ＣＭデータＥｎｃ（Ｋｃｍｉ：ＣＭｉ）のユーザ端末４０への送信命令をコンテンツサーバ１０及びＣＭサーバ２０に対し送信すると共に、それらの暗号化鍵をユーザ端末４０へ送信するように構成されている。
【００３２】
設定部３６５は、視聴者にＣＭの嗜好に関するデータを入力させ、この入力データに基づき、選択部３６１において、視聴したいＣＭを優先的に選択肢として提示するための所定の優先順位等を設定するためのものである。例えば、ＣＭの内容（ファッション・ブランド、キッズ・ベビー・マタニティー、パソコン・家電・ＡＶ、・・・等）、ＣＭの主演者等を視聴者に選択させ、これにより選択部３６１における選択肢として表示する順番としての優先順位を決定することを可能に構成されている。
【００３３】
ユーザ端末４０は、主として、外部との通信制御を司る通信制御部４１と、入出力インターフェース４２と、ＣＰＵ４３と、ＲＡＭ４４と、画像出力を制御する表示制御部４５と、暗号化されたコンテンツ及びＣＭの復号化を行う暗号復号化部４６と、データベース４７とから構成されている。
【００３４】
データベース４７には、ユーザ鍵Ｋｕがセキュアエリアに格納され、また、ユーザＩＤ、機器ＩＤ、その他ユーザの個人情報（年齢、性別、住所など）を含むユーザ管理情報が格納され、更に暗号化された暗号化コンテンツデータＥｎｃ（Ｋｃｉ：Ｃｉ）及び暗号化ＣＭデータＥｎｃ（Ｋｃｍｉ：ＣＭｉ）が一時保管データとして格納される。
【００３５】
［動作の概要］  次に、第１実施形態にかかるコンテンツデータ視聴システムにおけるユーザ端末４０のコンテンツ再生動作の概要を、図３のフローチャートを参照して説明する。
【００３６】
初めに、視聴者は、ユーザ端末４０からネットワーク５０を介して、コンテンツ・ＣＭ管理サーバ３０にアクセスして、コンテンツのジャンルなどからコンテンツを選択する（ステップＳ３０１）。次に、コンテンツ・ＣＭ管理サーバ３０において選択されたコンテンツのジャンル、及び視聴者情報等に基づき、これに対応したＣＭを複数含む「ＣＭリスト」が生成される（ステップＳ３０２）。ただし、ＣＭリストにおける表示の優先順位は、設定部３６５の設定に基づき変更される。視聴者が、そのＣＭリストからコンテンツ視聴に必要なＣＭポイントを付与されたＣＭデータを選択すると、コンテンツ・ＣＭ管理サーバ３０からの命令に基づき、コンテンツサーバ１０から暗号化コンテンツデータＥｎｃ（Ｋｃｉ：Ｃｉ）が、ＣＭサーバ２０から暗号化ＣＭデータＥｎｃ（Ｋｃｍｉ：ＣＭｉ）が、それぞれ読み出され、ユーザ端末４０にダウンロードされる（ステップＳ３０３）。続いて、コンテンツ・ＣＭ管理サーバ３０から暗号化コンテンツ鍵、暗号化ＣＭ鍵が、ユーザ端末４０にダウンロードされる（ステップＳ３０４）。そして、１チャプタ分のコンテンツデータのコンテンツポイントに対応するＣＭポイントを付加された１回あるいは複数回のＣＭが再生され（ステップＳ３０５）、１チャプタ分のコンテンツデータが再生される（ステップＳ３０６）。この１チャプタ分のコンテンツデータの再生が終了すると、次のコンテンツデータがあるか否かが判断される（ステップＳ３０７）。次のコンテンツデータがある場合（ステップＳ３０７，Ｙｅｓ）、再びステップＳ３０４〜ステップＳ３０７の処理が、繰り返し実行される。一方、次のコンテンツデータがない場合（ステップＳ３０７，Ｎｏ）、本フローは終了する。なお、このフローにおいては、コンテンツ鍵とＣＭ鍵を同時にダウンロードする例を説明したが、最初にＣＭ鍵のみをダウンロードし、ＣＭの再生中において並行してコンテンツ鍵をダウンロードすることも可能である。また、このフローにおいては、コンテンツデータの再生終了後にコンテンツデータの有無を判断し暗号化コンテンツ鍵、暗号化ＣＭ鍵をダウンロードしているが、そのダウンロードは再生終了後ではなく、再生中に実行するようにしても良い。
【００３７】
［コンテンツデータ選択（Ｓ３０１）の具体的実行手順］  つづいて、図３のフローチャートに示したコンテンツデータを選択する工程（ステップＳ３０１）を、図４のフローチャートに沿って、適宜、図５及び図６を参照して、詳細に説明する。図５及び図６は、コンテンツ・ＣＭ管理サーバ３０が提供するコンテンツ視聴可能なＷＥＢページのメインページの一例を示したものである。なお、以下のＷＥＢページの説明において、その選択及び入力は、ユーザ端末４０に備えられたマウス、キーボード等の入力装置によってなされる。
【００３８】
まず、図５に示されるように、種別選択メニュー５１内からコンテンツの種別（映像、音楽、書籍、ゲーム、・・・等）を選択する（ステップＳ３０１１）。次に、図５に示されるように、ジャンル選択メニュー５２内からコンテンツのジャンル（映画、ドラマ、ドキュメンタリー、バラエティー、クイズ、・・・等）を選択する（ステップＳ３０１２）。これら種別及びジャンルの選択により、その種別が絞られたコンテンツ（コンテンツ名称、視聴ポイント、コンテンツ時間（分））が、コンテンツ選択メニュー５３に表示される。ここで、先頭文字検索アイコン（あ か さ た な は ま や ら わ）５４のいずれか、例えば、「あ」を選択すると、コンテンツ選択メニュー５３内には、先頭文字が「あ行」のコンテンツタイトルのみが表示される。また、コンテンツ選択メニュー５３内のコンテンツは、ランキング順配列アイコン５５を選択すれば、上から下へランキング順に配列され、５０音順配列アイコン５６を選択すれば、上から下へ５０音順に配列される。続いて、スクロールバー５３ａをスクロールさせ、目的とするコンテンツを選択し（ステップＳ３０１３）、本フローは終了する。これらのメニュー表示及び選択は、コンテンツ・ＣＭ管理サーバ３０の選択部３６１によって、実行可能とされている。
【００３９】
このように目的のコンテンツデータを選択すれば、コンテンツデータの概要を示すコンテンツ概要メニュー５７が表示され、コンテンツデータの概要を示す映像クリップや、そのコンテンツデータのチャプタ、各チャプタの視聴ポイント、各チャプタの再生時間（分）、各チャプタを視聴するか否かを選択により決定可能であるチェックボックス５７ａ等が表示される。図５に示した例では、チャプタ１〜チャプタ５の全てのチェックボックス５７ａを選択しているので、コンテンツポイントの合計を表示するコンテンツポイント合計表示５８は、３００ｐと表示されている。
【００４０】
また、上記のように種別、ジャンルにより目的とするコンテンツデータを限定するのではなく、キーワード検索ボックス５９にキーワードを入力し、直接コンテンツデータを検索することも可能である。さらに、キーワード検索ボックス５９にキーワードを入力すると共に種別、ジャンルを選択して、コンテンツデータを検索することも可能である。
【００４１】
このようにして視聴したいコンテンツデータの選択が完了すれば、ＣＭ選択メニュー６０に選択可能なＣＭ（ＣＭ名称、ＣＭポイント、再生時間、単価（ポイント／秒）など）のリスト（ＣＭリスト）が表示される。このＣＭリストにおいては、図５に示すように、秒単価（ＣＭ視聴時間１秒あたりのポイント数を示す。この秒単価が大きいほど、少ないＣＭ視聴時間で多くのコンテンツデータを視聴できる）の高いＣＭデータから順に表示することを基本としつつ、設定部３６５で設定がされている場合には、この設定データに基づいて表示順が決定されている。なお、コンテンツデータ選択完了に伴ない表示されるＣＭリストは、視聴者カテゴリやコンテンツジャンルに従って作成される。
【００４２】
コンテンツポイント合計表示５８の横には、繰越ポイントを示す繰越ポイント表示６１と、選択したＣＭのポイント合計を示す選択ＣＭポイント表示６２と、繰越ポイントと選択ＣＭポイントの合計を示す合計表示６３と、繰越ポイントと選択ＣＭポイントの合計からコンテンツポイント合計を差し引いたオーバーポイントを示すオーバーポイント表示６４とが表示されている。ここで、「繰越ポイント」とは、オーバーポイントが生じた場合におけるそのオーバーポイントが、次回以降のコンテンツデータの視聴においてＣＭポイントの不足を補うために用いられることを意味する。
【００４３】
図５では、繰越ポイント表示６１は２５ｐであり、ＣＭ１〜ＣＭ７が選択されている。なお、この選択は、当初選択部３６１により自動的になされ、もし視聴者がこの自動選択に同意しない場合、マウス等を用いて変更するようにして行ってもよい。勿論、はじめから視聴者が１つ１つ選択するのでも構わない。図５の例の場合、選択ＣＭポイント表示６２は２８５ｐ（４５×５＋３０×２＝２８５）となり、合計表示６３は３１０ｐ（２８５＋２５（繰越ポイント）＝３１０）と表示される。また、コンテンツポイント合計が３００ｐであるので、オーバーポイント表示６４は１０ｐ（３１０−３００＝１０）と表示される。このオーバーポイントの１０ｐは、繰越ポイントとして、次回のコンテンツデータ視聴時に利用することができる。
【００４４】
上記のように図５の場合にあっては、合計表示６３がコンテンツポイント合計表示５８を上回っている（３００ｐ＜３１０ｐ）ので、再生開始アイコン６５を選択することにより選択したコンテンツデータが再生される。なお、繰越ポイントと選択ＣＭポイントの合計は、バロメータ６６によっても表示されている。
【００４５】
図６は、図５と同様のコンテンツデータを選択し、チャプタ１〜チャプタ４、ＣＭ１〜ＣＭ３、ＣＭ８を選択した場合を示している。図６の場合では、合計表示６３は、１９０ｐとなり、コンテンツポイント合計表示５８の２４０ｐを上回ることはないので、コンテンツデータを再生することはできない。更にＣＭデータを追加選択し、コンテンツポイント合計表示５８よりも合計表示６３が上回るようにすれば、選択したコンテンツデータの視聴が可能となる。このようなＣＭ合計ポイントとコンテンツ合計ポイントとの比較を行う処理は、コンテンツ・ＣＭ管理サーバ３０の比較部３６２により実行される。
【００４６】
［ＣＭリスト生成（Ｓ３０２）の具体的実行手順］  つづいて、図３のフローチャートに示したＣＭリストを生成する工程（ステップＳ３０２）の具体的な実行手順を、図７のフローチャート、図８及び図９を参照して、詳細に説明する。図８及び図９は、コンテンツ・ＣＭ管理サーバ３０が提供するＣＭの好みを設定可能なＷＥＢページの一例である。このＷＥＢページへは、図５及び図６に示したＷＥＢページ上のＣＭ設定アイコン６８を選択することにより、アクセスできる。
【００４７】
なお、以下のＷＥＢページにおいて、その選択及び入力は、ユーザ端末４０に備えられたマウス及びキーボードによりなされる。
【００４８】
まず、上述したようにユーザ端末４０によりコンテンツデータの選択（ステップＳ３０１）が終了すると、ユーザＩＤ、及び選択したコンテンツデータのコンテンツＩＤがユーザ端末４０からコンテンツ・ＣＭ管理サーバ３０に送付される（ステップＳ３０２１）。つづいて、コンテンツ・ＣＭ管理サーバ３０は、ユーザＩＤ等に基づき、視聴者カテゴリを決定する（ステップＳ３０２２）。ここで、視聴者カテゴリとは、前述の通り、例えば、視聴者の個人情報に基づく視聴者の分類であり、ユーザＩＤ等から特定される。例えば、視聴者の年齢、性別、さらにはＣＭの好みなどである。
【００４９】
この視聴者カテゴリにおけるＣＭの好みの設定は、例えば、図８に示すように、ＣＭの内容（ＣＭジャンル名）が例えば、「ファッション・ブランド」、「ダイエット・健康・介護」、「ゴルフ・レジャーランド」・・・等のように列挙され、好みのＣＭジャンル名のチェックボックスにチェックを入れて選択する。この選択は、一つに限らず複数であっても良い。また、それぞれがＯＮ，ＯＦＦの２値ではなく、多値のレベル設定としても良い。この選択されたＣＭの内容（ＣＭジャンル名）に基づき視聴者カテゴリ中のＣＭの好みに関する情報が決定される。
【００５０】
また、このＣＭ好みの設定は、例えば、図９に示すように、ＣＭの主演者でも決定可能である。この場合、５０音順で検索、或いはキーワード検索ボックスに入力して、キーワードによりＣＭ出演者を検索及び選択し、［リストに追加］のアイコンをクリックすることにより［お好みリスト］に、ＣＭ主演者を追加できる。この［お好みリスト］に追加されたＣＭ主演者に基づき視聴者カテゴリ中のＣＭの好みに関する情報が決定される。これらＣＭの好みの設定は、コンテンツ・ＣＭ管理サーバ３０の設定部３６５によって予め行われる。
【００５１】
そして、コンテンツ・ＣＭ管理サーバ３０は、選択されたコンテンツデータのコンテンツＩＤからコンテンツジャンルを決定する（ステップＳ３０２３）。ここで、コンテンツジャンルとは、前述のようにコンテンツデータの種類であって、「ゴルフ」であれば、そのコンテンツジャンルは、「スポーツ」に属する。
【００５２】
次に、コンテンツ・ＣＭ管理サーバ３０は、後述する視聴者カテゴリとコンテンツジャンルに従って決定されるＣＭ管理データベース３３に格納されたマッチングデータに基づいてマッチング度を決定し（ステップＳ３０２４）、マッチング度に対して定められるＣＭポイントを特定し、ＣＭリストとして表示する（ステップＳ３０２５）。ここで、マッチング度とは、所定のＣＭに所定の視聴者がどれくらいの興味を持つかを表す指標である。これらの工程により、ＣＭリストが作成される。そして、視聴者は、ユーザ端末４０により、図５に示されるようにＣＭ選択メニュー６０内のＣＭリストにおいて、視聴するＣＭのチェックボックス６０ａを選択し、チェックをいれ（ステップＳ３０２６）、これにより視聴したいＣＭが選択される。また、ＣＭ好みの優先順位を決定した後、例えば、自動設定アイコン６９（図５，図６参照）を選択することにより、ＣＭリストの上から下へＣＭ好みの優先順位に従ってＣＭを配列され、ＣＭリストの上から順番に必要なポイント数に達するまで、予めチェックボックス６０ａにチェックマークが付されている状態とすることもできる。この状態においては、そのまま再生する以外にも、必要であれば、チェックボックス６０ａのチェックをはずしたり、さらにチェックを入れてＣＭを選択したりすることが可能である。また、自動設定アイコン６９を選択することにより、コンテンツ選択後に自動的にＣＭ、コンテンツが再生される構成としてもよい。
【００５３】
［ＣＭデータ及びコンテンツデータの再生手順］  次に、図１０及び図１１を参照して、ＣＭデータ及びコンテンツデータの再生シーケンスとコンテンツポイント及びＣＭポイントとの関係を説明する。図１０は、コンテンツポイントとＣＭのポイントとの関係を説明する図であり、図１１は、図１０の場合におけるコンテンツデータの各チャプタとＣＭとの再生動作を説明する図である。
【００５４】
例えば、図１０では、各チャプタ毎にコンテンツポイントが６０ポイントに設定された５つのチャプタに分けられており（Ｃｈａｐｔｅｒ１〜Ｃｈａｐｔｅｒ５）、コンテンツポイントが全編３００ポイントのコンテンツデータであって、Ｃｈａｐｔｅｒ１〜Ｃｈａｐｔｅｒ５を連続して視聴する場合を想定する。このような場合、Ｃｈａｐｔｅｒ１，２，３，４，５は、ＣＭ合計ポイント６０，１２０，１８０，２４０，３００ポイントを超えるＣＭポイントを取得しなければ視聴することができない。
【００５５】
そのため、まず、繰越ポイントの２５ポイントがあれば、ＣＭポイントが４５ポイントに設定されたＣＭ１を再生終了すれば（ステップＳ４０１）、ＣＭ合計ポイントが７０ポイントとなり、Ｃｈａｐｔｅｒ１が再生される（ステップＳ４０２）。
【００５６】
次に、ＣＭポイントが４５ポイントに設定されたＣＭ２を再生する（ステップＳ４０３）。ＣＭ２の再生により、ＣＭ合計ポイントは１１５ポイント（７０＋４５＝１１５）となるが、Ｃｈａｐｔｅｒ２の再生に必要な１２０ポイントには達さないので、ＣＭ３の再生が実行される（ステップＳ４０４）。ＣＭポイントが４５ポイントに設定されたＣＭ３の再生により、ＣＭ合計ポイントは、１６０ポイント（１１５＋４５＝１６０）となり、Ｃｈａｐｔｅｒ２が再生される（ステップＳ４０５）。また、同様にＣＭ４（ＣＭポイントが４５ポイントに設定）の再生（ステップＳ４０６）が実行され、ＣＭ合計ポイントが２０５ポイント（１６０＋４５＝２０５）となり、Ｃｈａｐｔｅｒ３が再生される（ステップＳ４０７）。同様に、ＣＭ５（ＣＭポイントが４５ポイントに設定）の再生（ステップＳ４０８）が実行され、ＣＭ合計ポイントが２５０ポイント（２０５＋４５＝２５０）となり、Ｃｈａｐｔｅｒ４が再生される（ステップＳ４０９）。そして、ＣＭ６が再生され（ステップＳ４１０）、つづいてＣＭ７が再生され（ステップＳ４１１）、ＣＭ合計ポイントが３１０ポイント（２５０＋３０＋３０＝３１０）となり、Ｃｈａｐｔｅｒ５が再生される（ステップＳ４１２）。ここで、ＣＭ７の再生により、オーバーポイントが１０ポイント（３１０−３００＝１０）発生するが、この１０ポイントは、データベース４７或いはユーザ管理データベース３２に繰越ポイントとして格納され、次回のコンテンツデータ視聴時に、使用可能なポイントとされる。
【００５７】
［ダウンロード（Ｓ３０３）の具体的実行手順］次に、図１２を参照して、コンテンツサーバ１０からの暗号化コンテンツデータのダウンロード、及びＣＭサーバ２０からの暗号化ＣＭデータのダウンロード（図３のステップＳ３０３）、の具体的な実行手順について詳細に説明する。
【００５８】
まず、ユーザ端末４０は、通信制御部４１によりネットワーク５０を介してコンテンツＩＤのリストをコンテンツ・ＣＭ管理サーバ３０へ送付する（ステップＳ５０１）。この処理により、コンテンツＩＤのリストを受信したコンテンツ・ＣＭ管理サーバ３０は、送信部３６４によりコンテンツ管理データベース３１に格納された書誌データに基づき、コンテンツＩＤにより特定される暗号化コンテンツデータＥｎｃ（Ｋｃｉ：Ｃｉ）をユーザ端末４０に送付する命令をコンテンツサーバ１０に送信する。
【００５９】
つづいて、コンテンツサーバ１０は、この命令を受けて、コンテンツ管理データベース１１から暗号化コンテンツデータＥｎｃ（Ｋｃｉ：Ｃｉ）を読み出すと共にユーザ端末４０に送付する（ステップＳ５０２）。
【００６０】
そして、ユーザ端末４０は、受信した暗号化コンテンツデータＥｎｃ（Ｋｃｉ：Ｃｉ）をデータベース４７に保存する（ステップＳ５０３）。
【００６１】
次に、ユーザ端末４０は、選択したＣＭデータのＣＭＩＤリストをコンテンツ・ＣＭ管理サーバ３０に送付する（ステップＳ５０４）。この処理により、ＣＭのＩＤのリストを受信したコンテンツ・ＣＭ管理サーバ３０は、送信部３６４によりＣＭ管理データベース３４に格納された書誌データに基づき、ＣＭのＩＤリストにより特定される暗号化ＣＭデータＥｎｃ（Ｋｃｍｉ：ＣＭｉ）をユーザ端末４０に送付する命令をＣＭサーバ２０に送信する。
【００６２】
つづいて、ＣＭサーバ２０は、この命令を受けて、ＣＭ管理データベース２１から暗号化ＣＭデータＥｎｃ（Ｋｃｍｉ：ＣＭｉ）を読み出すと共にユーザ端末４０に送付する（ステップＳ５０５）。
【００６３】
そして、ユーザ端末４０は、受信した暗号化ＣＭデータＥｎｃ（Ｋｃｍｉ：ＣＭｉ）をデータベース４７に保存する（ステップＳ５０６）。
【００６４】
［コンテンツ再生手順の具体的実行手順］  次に、図１３Ａ及び図１３Ｂを参照して、上述した図１０及び図１１のコンテンツ再生の具体的実行手順（図３のＳ３０４〜Ｓ３０６）を詳細に説明する。
【００６５】
まず、ユーザ端末４０から、通信制御部４１及びネットワーク５０を介してコンテンツ・ＣＭ管理サーバ３０に対し選択したＣＭデータのＣＭＩＤとコンテンツデータのコンテンツＩＤに対応するＣＭ鍵Ｋｃｍｉとコンテンツ鍵Ｋｃｉの送信を要求する。また、同時にユーザ端末４０は、ユーザＩＤと、機器ＩＤとをコンテンツ・ＣＭ管理サーバ３０に送付する（ステップＳ６０１）。
【００６６】
次に、コンテンツ・ＣＭ管理サーバ３０は、上記ＩＤを受信すると、受信時刻を記憶し、各ユーザＩＤ毎に異なるユーザ鍵Ｋｕをユーザ管理データベース３５から読み出し、これを用いてＣＭ鍵Ｋｃｍｉとコンテンツ鍵Ｋｃｉを暗号化し（ステップＳ６０２）、暗号化された暗号化ＣＭ鍵Ｅｎｃ（Ｋｕ：Ｋｃｍｉ）と暗号化コンテンツ鍵Ｅｎｃ（Ｋｕ：Ｋｃｉ）とをユーザ端末４０に送付する（ステップＳ６０３）。
【００６７】
つづいて、ユーザ端末４０は、暗号化ＣＭ鍵Ｅｎｃ（Ｋｕ：Ｋｃｍｉ）及び暗号化コンテンツ鍵Ｅｎｃ（Ｋｕ：Ｋｃｉ）を暗号復号化部４６によってユーザ鍵Ｋｕを用いて復号化してＣＭ鍵Ｋｃｍｉとコンテンツ鍵Ｋｃｉとを取得し、これをデータベース４７に一時保管し（ステップＳ６０４）、現時点でコンテンツデータ再生が終了している状態であるか否かを判断する（ステップＳ６０５）。
【００６８】
ステップＳ６０５において、コンテンツデータが終了していない状態であると判断されると（ステップＳ６０５，ＮＯ）、コンテンツデータの再生終了が確認されるまで、ステップＳ６０５の工程を繰り返し実行する。
【００６９】
コンテンツデータ再生が終了している状態であると判断されると（ステップＳ６０５，ＹＥＳ）、データベース４７に一時保管されたＣＭ鍵Ｋｃｍｉにより暗号化ＣＭデータＥｎｃ（Ｋｃｍｉ：ＣＭｉ）を復号化し、ＣＭデータを再生開始する（ステップＳ６０６）。ＣＭ再生が開始すれば、そのＣＭの直前に再生されたコンテンツデータＣｉのコンテンツ鍵Ｋｃｉが削除される（ステップＳ６０７）。
【００７０】
つづいて、ユーザ端末４０の強制終了及びユーザ端末４０への供給電力停止などによらずＣＭデータの再生が正常終了したか否かが判断される（ステップＳ６０８）。ＣＭが正常終了していないと判断される場合（ステップＳ６０８，ＮＯ）、本フローは終了する。
【００７１】
一方、ＣＭが正常終了したと判断される場合（ステップＳ６０８，ＹＥＳ）、データベース４７に一時保管されたコンテンツ鍵Ｋｃｉにより暗号化コンテンツデータＥｎｃ（Ｋｃｍｉ：ＣＭｉ）を復号化し、コンテンツデータＣｉの再生を開始し（ステップＳ６０９）、直前に再生されたＣＭ鍵Ｋｃｍｉが削除される（ステップＳ６１０）。そして、ＣＭ再生のログ（視聴情報）及びコンテンツ再生のログ（視聴情報）をコンテンツ・ＣＭ管理サーバ３０に送付する（ステップＳ６１１）。送付された視聴情報は、事後的にコンテンツサーバ１０及びＣＭサーバ２０に送付され、コンテンツ作成及びＣＭ作成の参考に供される。
【００７２】
つづいて、コンテンツ・ＣＭ管理サーバ３０は、送付されたＣＭ再生のログ及びコンテンツデータ再生のログに基づき、ＣＭポイントとコンテンツポイントの確定を行い（ステップＳ６１２）、正常に確定が終了したことを通知する正常終了情報をユーザ端末４０に送付する（ステップＳ６１３）。
【００７３】
次に、ユーザ端末４０は、コンテンツ・ＣＭ管理サーバ３０から正常終了情報を受信すると、次のコンテンツデータ或いはＣＭデータが準備されているか否かを判断する（ステップＳ６１４）。ここで、次のコンテンツデータ或いはＣＭデータが準備されていると判断される場合（ステップＳ６１４，Ｙｅｓ）、再び、ステップＳ６０１に戻り上記工程が繰り返し実行される。一方、次のコンテンツデータ或いはＣＭデータが準備されていないと判断された場合（ステップＳ６１４，ＮＯ）、コンテンツデータ再生が終了したか否かが判断される（ステップＳ６１５）。コンテンツデータ再生が終了していないと判断された場合（ステップＳ６１５，ＮＯ）、繰り返しステップＳ６１５の判定が実行される。一方、コンテンツデータ再生が終了したと判断された場合（ステップＳ６１５，ＹＥＳ）、コンテンツ鍵Ｋｃｉは削除され（ステップＳ６１６）、本フローは終了する。
【００７４】
上記フローは、主にコンテンツデータ（チャプタ）とコンテンツデータ（チャプタ）との間にＣＭデータを介在させ再生する処理を示したが、図１４に示すようにＣＭデータのみを再生する処理とすることも可能である。このフローを実行することにより、視聴者は繰越ポイントを増やすことができ、次回以降にコンテンツデータを視聴する場合において、少ないＣＭ視聴時間でコンテンツデータの視聴をすることが可能になる。図１４は、ＣＭデータのみを再生する場合のフローチャートである。以下、図１４のフローを、図５のＷＥＢページの表示例も参照しつつ説明する。まず、一つ目のＣＭを選択し（ステップＳ７０１）、ＣＭ再生アイコン６７を選択する（ステップＳ７０２）。ＣＭ再生アイコン６７を選択すれば、ＣＭのみを再生するか否か視聴者に判断させる（ステップＳ７０３）。例えば、ＷＥＢページ上に「ＣＭのみを再生しますか ＹＥＳ ｏｒ ＮＯ」等のメッセージが表示される。ここで、ＣＭデータのみを再生する場合（ステップＳ７０３，ＹＥＳ）、ＣＭデータの再生が実行される（ステップＳ７０４）。ＣＭデータ再生が終了すれば、ＣＭデータに設定されたＣＭポイントは繰越ポイントとして加算され（ステップＳ７０５）、本フローは終了する。一方、ＣＭデータのみを再生しない場合（ステップＳ７０３，ＮＯ）、上述したステップＳ３０１へ移り、コンテンツデータを選択して、通常再生を行う処理が実行される。なお、この処理において、複数のＣＭデータを選択して連続再生することはできず、ユーザは、一つのＣＭ視聴に一回のＣＭ再生アイコン６７のクリックをしなければならない。すなわち、複数のＣＭを再生する場合であっても、１つのＣＭ毎（一般的に１５秒或いは３０秒）にユーザにＣＭ再生アイコン６７をクリックさせることにより、ユーザをＣＭが表示された画面から離れないようにすることができる。
【００７５】
次に、図１５を参照して、ＣＭ提供者Ｃ側におけるＣＭポイントの決定方法を説明する。図１５は、ＣＭポイントを決定する場合に使用するマトリックスデータ（マッチングデータ）の一例である。このマッチングデータは、上述したように、例えばＣＭ管理データベース３３等に格納することができる。図１５のマトリックスデータの行は、上述したコンテンツジャンルを示し、列は、上述した視聴者カテゴリを示す。
【００７６】
図１５のマトリックス図では、コンテンツジャンル［Ｉ］、視聴者カテゴリ［イ］におけるマッチング度はＡとなる。また、コンテンツジャンル［無し］、視聴者カテゴリ［ヘ］，［ト］，［チ］におけるマッチング度は、設定されていない。
【００７７】
つまり、この行列で表示されるマッチング度（Ａ〜Ｄ）は、ターゲットとするＣＭの視聴者層に対しては高いＣＭポイントを与え、それにより当該ＣＭの視聴をターゲット視聴者層に促す一方、ターゲットとしないＣＭの視聴者層に対しては低いＣＭポイントを与える。例えば、ゴルフシューズメーカのＣＭにあっては、例えば、をコンテンツジャンルが［スポーツ］であり、及び（又は）、視聴者カテゴリが［２５歳〜５５歳］（ゴルフを行う人の割合が大きい年齢層である）において、高いマッチング度を与え、ＣＭポイントが高くなるようにすればよい。
【００７８】
このように、ＣＭ提供者は、視聴者が視聴しようとするコンテンツデータ及び視聴者の個人情報等に基づき、すなわち図１５のマトリックスデータ（マッチングデータ）に基づき、ＣＭポイントの高低を決定することが可能である。これにより、ＣＭに関心のある視聴者に対象を絞った非常に効率の良い、言い換えれば費用対効果の良いＣＭの提供が可能となる。また、上記以外のパラメータを設定してもよく、コンテンツ・ＣＭ管理サーバ３０が取得したユーザからのＩＤ受信時間をパラメータとして加えても良い。時間をパラメータとして設定すれば、例えば、食事の時間帯にＣＭの内容［食品・スイーツ］のポイントを高く設定することで、多くの視聴者に、そのＣＭを視聴させ、購買意欲を増大させることが可能である。
【００７９】
次に、図１６を参照して、マッチング度とＣＭ再生度数（視聴履歴）との関係を説明する。ＣＭは、商品の広告となる以外にも、そのＣＭの完成度が高ければ、そのＣＭ自体が一つの作品（準コンテンツデータ）となる。したがって、視聴者は、意欲的に複数回に亘って同じＣＭを見続ける場合が生じる。この場合にあっては、ＣＭの宣伝効果は、既に充分視聴者に伝わっていると考えられる。そこで、図１６においては、行にマッチング度（Ａ，Ｂ，Ｃ，・・・）を設定し、列にそのＣＭの再生回数（１回目〜４回目）を設定している。例えば、マッチング度Ａにおいては、１回目の視聴におけるＣＭポイントが「１０」、２回目が「５」、３回目が「３」、４回目が「０」として、視聴回数が多くなるにつれポイント設定を減少させればよい。このようにマッチング度と視聴回数（視聴履歴）の組み合わせ毎にポイントを設定可変とすることで、同一視聴者の視聴回数を操作することができる。したがって、同一視聴者による同一ＣＭデータの重複視聴を回避できるので、一層費用対効果の高いＣＭを提供可能である。
【００８０】
また、上記では、同一ＣＭデータの重複再生の回数制限を行ったが、さらに、同一の日内でＣＭデータの重複再生の回数制限をおこなってもよい。
【００８１】
一方、上記のようにＣＭデータの再生回数によってＣＭデータ視聴の制限を設定した場合、ユーザが選択できるＣＭデータの幅が小さくなり、がコンテンツデータを見ることができない状態が生じる虞がある。そこで、以下に記載したＣＭポイントの取得方法を設定することも可能である。
【００８２】
まず、視聴者は、図１７のフローチャートに示されるように視聴したいコンテンツデータを選択する（ステップＳ８０１）。次に、選択したコンテンツデータに対してＣＭポイントが不足しているか否かが判断される（ステップＳ８０２）。ＣＭポイントが不足していないと判断された場合（ステップＳ８０２，ＮＯ）、提供するＣＭデータがデフォルト（老若男女を問わず広く視聴され得るもの）で良いか否か選択可能となる（ステップＳ８０３）。例えば、ＷＥＢページ上に「デフォルトで良いですか  ＹＥＳ  ｏｒ  ＮＯ」と選択可能に表示される。デフォルトのＣＭで良い（ＹＥＳ）を選択すると（ステップ８０３，ＹＥＳ）、コンテンツデータに対するデフォルトのＣＭリストが表示され（ステップＳ８０５）、本フローは終了する。また、デフォルトＣＭの選択が拒否する場合（ステップ８０３，ＮＯ）、ＣＭの入れ替えが行われ（ステップＳ８０４）、コンテンツデータに対するデフォルトでないＣＭリストが表示され（ステップＳ８０５）、本フローは終了する。
【００８３】
一方、提供ＣＭポイントが不足している場合（ステップＳ８０２，ＮＯ）、ポイントを購入するか否かを視聴者に選択させる（ステップＳ８０６）。例えば、ＷＥＢページ上に「ポイントを発行しますか ＹＥＳ  ｏｒ  ＮＯ」と選択可能に表示される。ポイントを購入する場合（ステップＳ８０６，ＹＥＳ）、視聴者に対してポイントが発行され（ステップＳ８０７）、上記と同様にコンテンツデータに対するＣＭリストが表示される（ステップＳ８０５）。ポイントを購入しない場合（ステップＳ８０６，ＮＯ）、本フローは終了する。なお、このポイントの購入は、例えば、ユーザＩＤ登録時に、同時に銀行口座を登録し、その口座からポイント分の金額を引き落とすことにより実現される。
【００８４】
［第２実施形態］  次に、本発明の第２実施形態に係るコンテンツデータ視聴システムの概要を説明する。図１８は、本発明の第２実施形態に係るコンテンツデータ視聴システムの構成図である。第１の実施の形態と同一の構成要素には同一の符号を付し、その詳細な説明は以下では省略する。
【００８５】
第２実施形態に係るコンテンツデータ視聴システムが、第１実施形態のコンテンツデータ視聴システムと異なる点は、コンテンツ・ＣＭ管理サーバ３０にプログラム３６を設ける代わりに、ユーザ端末４０’にプログラム４８を設けた点である。つまり、プログラム４８は、選択部４８１と、比較部４８２と、鍵読出部４８３と、送信部４８４と、設定部４８５とを有している。
【００８６】
選択部４８１は、コンテンツデータ、及びこのコンテンツデータと共に視聴するＣＭデータを選択可能に構成されている。
【００８７】
比較部４８２は、選択部４８１で選択されたコンテンツデータに対し設定されたコンテンツポイントと、選択部４８１で選択されたＣＭデータに対し設定されたＣＭポイントとを比較し、コンテンツデータを視聴可能か否かを判断可能に構成されている。
【００８８】
鍵読出部４８３は、コンテンツ・ＣＭ管理サーバ３０のコンテンツ鍵データベース３２及びＣＭ鍵データベース３４からコンテンツ鍵Ｋｃｉ及びＣＭ鍵Ｋｃｍｉを読出可能に構成されている。
【００８９】
送信部４８４は、比較部４８２による比較結果に基づき、選択部４８１における選択に係るコンテンツデータ、及びこのコンテンツデータと共に視聴するＣＭデータを要求する情報をコンテンツ・ＣＭ管理サーバ３０に送信可能に構成されている。
【００９０】
設定部４８５は、ＣＭデータの中から、視聴者にＣＭの内容（ファッション・ブランド、キッズ・ベビー・マタニティー、パソコン・家電・ＡＶ、・・・等）、ＣＭの主演者により視聴したいＣＭを設定可能に構成されている。
【００９１】
つまり、ユーザ端末４０’を上記のような構成とすることで、コンテンツ・ＣＭ管理サーバ３０は、情報を格納し、ユーザ端末４０’の要求に応じて、情報を送信する機能を有するのみで、システムとして第１実施形態と同様の動作がなされ、ユーザ端末４０’にコンテンツデータ及びＣＭデータを供給可能となる。したがって、第１実施形態と比較して、コンテンツ・ＣＭ管理サーバ３０の処理負担は、低減される。
【００９２】
以上、発明の実施の形態を説明したが、本発明はこれらに限定されるものではなく、発明の趣旨を逸脱しない範囲内において、様々な追加、変更、置換、削除等が可能である。例えば、上記実施の形態では、コンテンツデータ、ＣＭデータを暗号化し、鍵データを送受信しこれを復号化して視聴する形式としているが、ネットワークのセキュリティに問題がなければ、これを暗号化せず送受信するシステムとしてもよい。また、データベースの数、配置及び種類等も、システムの状況等に応じて適宜変更が可能である。
【００９３】
また、上記の実施の形態では、好みのＣＭの内容を指定するようにすることを可能に構成していたが（図８等）、逆に見たくない嫌いなＣＭの内容を指定し、そのようなＣＭデータが選択肢とされることを拒否するように構成することも可能である。
【００９４】
また、本発明は、映画やＴＶ番組などのストリームデータの視聴に限らず、小説や漫画など静止画像データの視聴にも適用可能である。また、ゲームなどをＣＭデータの視聴を条件に所定時間楽しむことが出来るシステムにも本発明は適用可能である。また、対戦型オンラインゲームにも適用が可能である。この場合、対戦する複数の利用者が、一斉にＣＭデータを視聴し、全員の視聴が終了したことを条件にゲームの開始を許可することが可能である。
【図面の簡単な説明】
【００９５】
【図１】本発明のコンセプトを説明する図である。
【図２】本発明の第１実施形態に係るコンテンツデータ視聴システムの構成図である。
【図３】本発明の第１実施形態に係るコンテンツデータ視聴システムのユーザ端末４０のコンテンツデータの受信及び再生動作の概要を説明するフローチャートである。
【図４】図３のフローチャートに示したコンテンツデータを選択する工程（ステップＳ３０１）を詳細に説明するフローチャートである。
【図５】本発明の第１実施形態に係るコンテンツデータ視聴システムのユーザ端末４０に表示されるコンテンツ視聴可能なＷＥＢページの一例を示す図である。
【図６】本発明の第１実施形態に係るコンテンツデータ視聴システムのユーザ端末４０に表示されるコンテンツ視聴可能なＷＥＢページの一例を示す図である。
【図７】図３のフローチャートに示したＣＭリストを生成する工程（ステップＳ３０２）の具体的な実行手順を説明するフローチャートである。
【図８】本発明の第１実施形態に係るコンテンツデータ視聴システムのユーザ端末４０に表示されるＣＭの好みを設定するＷＥＢページを示す図である。
【図９】本発明の第１実施形態に係るコンテンツデータ視聴システムのユーザ端末４０に表示されるＣＭの好みを設定するＷＥＢページを示す図である。
【図１０】本発明の第１実施形態に係るコンテンツデータ視聴システムにおけるＣＭデータ及びコンテンツデータの再生シーケンス、及びコンテンツポイントとＣＭポイントとの関係を示す図である。
【図１１】本発明の第１実施形態に係るコンテンツデータ視聴システムの図１０の場合における再生動作を説明するフローチャート図である。
【図１２】本発明の第１実施形態に係るコンテンツデータ視聴システムのＣＭサーバ２０、コンテンツサーバ１０及びユーザ端末４０の間で実行される暗号化コンテンツデータ及び暗号化ＣＭデータのユーザ端末へのダウンロード動作を説明するフローチャートである。
【図１３Ａ】図１０及び図１１のコンテンツ再生方法を詳細に説明するフローチャートである。
【図１３Ｂ】図１０及び図１１のコンテンツ再生方法を詳細に説明するフローチャートである。
【図１４】本発明の第１実施形態に係るコンテンツデータ視聴システムのユーザ端末４０でＣＭのみを再生する動作を説明するフローチャートである。
【図１５】本発明の第１実施形態に係るコンテンツデータ視聴システムのマッチング度と視聴者カテゴリとコンテンツジャンルとの関係を説明する図である。
【図１６】本発明の第１実施形態に係るコンテンツデータ視聴システムのマッチング度とＣＭ再生度数との関係を説明する図である。
【図１７】本発明の第１実施形態に係るコンテンツデータ視聴システムのポイントが不足した場合におけるポイント取得動作を説明するフローチャートである。
【図１８】本発明の第２実施形態に係るコンテンツデータ視聴システムの構成図である。
【符号の説明】
【００９６】
１０…コンテンツサーバ、２０…ＣＭサーバ、３０…コンテンツ・ＣＭ管理サーバ、４０…ユーザ端末、５０…ネットワーク。
【図１】
2007221232.tif 000003
【図２】
2007221232.tif 000004
【図３】
2007221232.tif 000005
【図４】
2007221232.tif 000006
【図５】
2007221232.tif 000007
【図６】
2007221232.tif 000008
【図７】
2007221232.tif 000009
【図８】
2007221232.tif 000010
【図９】
2007221232.tif 000011
【図１０】
2007221232.tif 000012
【図１１】
2007221232.tif 000013
【図１２】
2007221232.tif 000014
【図１３Ａ】
2007221232.tif 000015
【図１３Ｂ】
2007221232.tif 000016
【図１４】
2007221232.tif 000017
【図１５】
2007221232.tif 000018
【図１６】
2007221232.tif 000019
【図１７】
2007221232.tif 000020
【図１８】
2007221232.tif 000021